(57)【要約】【課題】光波長分割多重（ＤＷＤＭ）通信を行う為の波長変換装置に関し、　２Ｒ機能と３Ｒ機能とを含み、自動的に最適機能に切替える。【解決手段】複数の光通信装置１１からの光信号の波長をそれぞれ異なる波長λ１　〜λｎ　に変換して多重化した光波長分割多重信号を送出する手段と、光波長分割多重信号を多重分離して、複数の光通信装置３１対応の波長の光信号に変換して送出する手段とを含み、入力断検出信号と、クロック再生不可検出信号と、フレーム同期不可検出信号とを制御部７，２７に入力し、制御部７，２７によってセレクタ５，２５を制御し、波形整形部２，２２からのデータを選択出力して２Ｒ機能に切替え、リタイミング部４，２４からのデータを選択出力して３Ｒ機能に切替える。【選択図】　　　図１
2004140626.tif 000002
【特許請求の範囲】
【請求項１】
複数の光通信装置からの光信号の波長をそれぞれ異なる波長に変換して多重化した光波長分割多重信号を送出する手段と、光波長分割多重信号を多重分離して、複数の光通信装置対応の波長の光信号に変換して送出する手段とを含む波長変換装置に於いて、
入力された光信号を電気信号に変換する電光変換部と、該電光変換部により変換された電気信号によるデータの波形を整形する波形整形部と、波形整形したデータに同期したクロックを再生するクロック再生部と、前記波形整形したデータを前記クロック再生部からのクロックによりリタイミングするリタイミング部と、該リタイミング部からのデータと前記波形整形部からのデータとを入力するセレクタと、該セレクタから選択出力されたデータを光信号に変換する電光変換部と、２Ｒ機能動作時に前記波形整形部からのデータを選択出力し、３Ｒ機能動作時に前記リタイミング部からのデータを選択出力するように前記セレクタを制御する制御部とを備えた
ことを特徴とする波長変換装置。
【請求項２】
入力光信号の断を検出して入力断検出信号を出力する入力断検出部と、前記クロック再生部に於けるクロック再生が不可能の時にクロック再生不可検出信号を出力するクロック再生検出部と、前記リタイミング部の出力データを入力してフレーム同期引込み及びエラー検出を行い、フレーム同期引込みが不可能の時にフレーム同期不可検出信号を出力するデータ処理部と、該データ処理部のエラー検出パルスを入力してエラーレートを求め、該エラーレートが設定閾値を超えた時にエラー検出信号を出力するエラーレート検出部と、前記入力断検出信号が入力されない状態で前記クロック再生不可検出信号と前記フレーム同期不可検出信号と前記エラー検出信号との何れか一つ又は複数が入力された時に、前記セレクタを制御して前記波形整形部からのデータを選択出力させて２Ｒ機能動作を行わせ、前記入力断検出信号と前記クロック再生不可検出信号と前記フレーム同期不可検出信号と前記エラー検出信号とが総て入力されない時に、前記セレクタを制御して、前記リタイミング部から前記データ処理部を介したデータを選択出力させて３Ｒ機能動作を行わせる制御部とを備えたことを特徴とする請求項１記載の波長変換装置。
【請求項３】
前記制御部は、ルータ間のオートネゴシェーションに伴う入力光信号の断続による前記入力断検出信号に対する検出保護時間と、前記クロック再生不可検出信号と前記フレーム同期不可検出信号と前記エラー検出信号とに対する解除保護時間とを設定して、前記２Ｒ機能と前記３Ｒ機能とを前記セレクタを制御して切替える構成を有することを特徴とする請求項１又は２記載の波長変換装置。
【請求項４】
無効データ又は警報表示信号を出力する警報情報生成部を設け、前記制御部は、少なくとも前記入力断検出信号が入力された時に前記警報情報生成部からの無効データ又は警報表示信号を前記電光変換部に入力するように前記セレクタを制御する構成を有することを特徴とする請求項１又は２又は３記載の波長変換装置。
【請求項５】
前記制御部は、前記３Ｒ機能に設定した時は、前記入力断検出信号と前記クロック再生不可検出信号と前記フレーム同期不可検出信号との何れか一つでも入力された時に、前記警報情報生成部からの警報表示信号を選択出力して前記電光変換部に入力し、それ以外は前記データ処理部からのデータを選択出力して前記電光変換部に入力するように前記セレクタを制御し、前記２Ｒ機能に設定した時は、前記入力断検出信号が入力された時に、前記警報情報生成部からの警報表示信号を選択出力して前記電光変換部に入力し、それ以外は前記波形整形部からのデータを選択出力して前記電光変換部に入力するように前記セレクタを制御する構成を有することを特徴とする請求項１記載の波長変換装置。
【発明の詳細な説明】
【０００１】
【発明の属する技術分野】
本発明は、光波長分割多重方式（ＤＷＤＭ；Ｄｅｎｓｅ　Ｗａｖｅｌｅｎｇｔｈ　Ｄｉｖｉｓｉｏｎ　Ｍｕｌｔｉｐｌｅｘｉｎｇ）を適用した伝送システムに於ける波長変換装置に関する。
【０００２】
【従来の技術】
ＤＷＤＭ方式により光波長多重及び分離を行う為には、光信号の中心波長やスペクトル幅等が、ＩＴＵ−Ｔ（Ｉｎｔｅｒｎａｔｉｏｎａｌ　Ｔｅｌｅｃｏｍｍｕｎｉｃａｔｉｏｎ　Ｕｎｉｏｎ−Ｔｅｌｅｃｏｍｍｕｎｉｔｉｏｎ　Ｓｔａｎｄａｒｄｉｚａｔｉｏｎ　Ｓｅｃｔｏｒ）により標準化された規格に従ったものであることが必要である。しかし、現在は、総ての光通信装置がその規格を満足しているものではない。このような規格を満足していない光通信装置の光信号に対してもＤＷＤＭ方式に取り込む為に、又は中継伝送する為に、波長変換装置（トランスポンダ）が使用されている。
【０００３】
波長変換装置は、中継装置に類似した機能を有するもので、波形整形（Ｒｅｓｈａｐｉｎｇ）と、リタイミング（Ｒｅｔｉｍｉｎｇ）と、識別再生（Ｒｅｇｅｎｒａｔｉｎｇ）との３Ｒ機能を有する構成が一般的である。しかし、波形整形と識別再生との２Ｒ機能を有する構成も適用されている。
【０００４】
図１０は従来の３Ｒ機能を有する波長変換装置を示し、１００−１〜１００−ｎは送信部、２００−１〜２００−ｎは受信部、１０１は電光変換部（Ｏ／Ｅ）、１０２は波形整形部、１０３はクロック抽出部、１０４は波形再生処理部、１０５はセレクタ（ＳＥＬ）、１０６は電光変換部（Ｅ／Ｏ）、１０７は制御部、１０８は入力断検出部、１０９はクロック再生検出部、１１０はエラーレート検出部、１１１は警報情報生成部、１１２は波長多重部（ＭＵＸ）、１１３は外部インタフェース部（ＩＦ）、１１４は光通信装置を示す。
【０００５】
又２０１は光電変換部（Ｏ／Ｅ）、２０２は波形整形部、２０３はクロック抽出部、２０４は波形再生処理部、２０５はセレクタ（ＳＥＬ）、２０６は電光変換部（Ｅ／Ｏ）、２０７は制御部、２０８は入力断検出部、２０９はクロック再生検出部、２１０はエラーレート検出部、２１１は警報情報生成部、２１２は波長分離部（ＤＭＵＸ）、２１３は外部インタフェース部（ＩＦ）、２１４は光通信装置を示す。
【０００６】
送信部１００−１〜１００−ｎ及び受信部２００−１〜２００−ｎは、ｎ個の光通信装置１１４，２１４対応のもので、それぞれ波長λ１　〜λｎ　の光信号を多重化して送受信を行うものである。例えば、送信部１００−１は、光通信装置１１４からの光信号を受信して、光電変換部１０１により電気信号に変換し、波形整形部１０２により波形等化処理し、クロック抽出部１０３により波形等化した信号からクロックＣＬＫを抽出し、そのクロックＣＬＫとデータＤＡＴＡとを波形再生処理部１０４に入力する。波形再生処理部１０４に於いては、クロックＣＬＫを基にデータＤＡＴＡの波形を再生し、セレクタ１０５を介して電光変換部１０６に入力し、波長λ１　の光信号に変換して波長多重部１１２に入力し、送信部１００−１〜１００−ｎからの波長λ１　〜λｎ　の光信号を多重化して光伝送路に送出する。
【０００７】
又受信部２００−１は、波長分離部２１２により波長λ１　〜λｎ　の光信号を多重分離し、例えば、波長λ１　の光信号を光電変換部２０１により電気信号に変換し、波形整形部２０２により波形等化処理し、クロック抽出部２０３により波形等化した信号からクロックＣＬＫを抽出し、そのクロックＣＬＫとデータＤＡＴＡとを波形再生処理部２０４に入力する。波形再生処理部１０４に於いては、クロックＣＬＫを基にデータＤＡＴＡの波形を再生し、セレクタ１０５を介して電光変換部１０６に入力し、光通信装置２１４に対する波長の光信号に変換して、光伝送路に送出する。
【０００８】
又入力断検出部１０８，２０８は、波形整形部１０２，２０２に於いて電気信号としてのレベルが所定値より低い等により波形整形処理ができない入力信号の場合に、入力断と判定し、その検出信号を制御部１０７，２０７に転送する。又クロック再生検出部１０９，２０９は、クロック抽出部１０３，２０３に於いてクロックＣＬＫを抽出できない場合を検出し、その検出信号を制御部１０７，２０７に転送する。又エラーレート検出部１１０，２１０は波形再生処理部１０４，２０４により再生されたデータのエラーレートを検出し、その検出信号を制御部１０７，２０７に転送する。
【０００９】
制御部１０７，２０７は、外部インタフェース１１３，２１３から各種の設定を行うことが可能の構成を有し、又入力断検出部１０８，２０８からの入力断検出信号又はクロック再生検出部１０９，２０９からのクロック再生不可検出信号又はエラーレート検出部１１０，２１０からの許容値以上のエラーレートの場合のエラー検出信号に従った警報情報を警報情報生成部１１１，２１１により生成させ、この警報情報をセレクタ１０５，２０５を制御して電光変換部１０６，２０６に入力し、警報情報を光信号として送信する。
【００１０】
図１１は警報情報の説明図であり、ＯＰＴ入力断ＡＬＭは光信号の入力断検出信号、ＣＬＫ再生不可ＡＬＭはクロック再生不可検出信号、フレーム同期ＬＯＳＳ　ＡＬＭは、フレーム同期不可検出信号、ＥＲＲレートモニターは、エラーレート検出部１１０，２１０によるエラーレートを示し、Ａは検出信号有り、Ｎは検出信号無しの正常通信状態を示す。又選択信号は、制御部１０７，２０７からセレクタ１０５，２０５を制御する信号を示す。その場合の警報は、警報生成部１１１，２１１からの警報情報をセレクタ１０５，２０５から選択出力することを示し、又３Ｒは、波形再生処理部１０４により再生されたデータを選択出力する３Ｒ機能動作を行う場合を示す。
【００１１】
図１２は従来の２Ｒ機能を有する波長変換装置の説明図であり、図１０と同一符号は同一の機能部分を示し、１１５，２１５は通信インタフェース部を示す。図１０に比較して、クロック抽出部１０３，２０３と、波形再生処理部１０４，２０４と、セレクタ１０５，２０５と、制御部１０７，２０７と、クロック再生検出部出部１０９，２０９と、エラーレート検出部１１０，１１１と、警報情報生成部１１１，２１１とを省略し、通信インタフェース部１１５，２１５を設け、外部インタフェース部１１３，２１３を介して監視装置等との間の通信を行う構成を有するものである。即ち、３Ｒ機能の中のタイミング抽出機能を省略して２Ｒ機能としたものである。
【００１２】
図１０に示す３Ｒ機能を有する波長変換装置は、位相同期ループ回路（ＰＬＬ）によりクロック再生を行うものであり、それにより、ジッタ抑圧効果があるから、伝送品質の改善が可能となる。しかし、ユーザ側の光通信装置によっては、このクロック再生手段を適用できない場合がある。その場合には、図１２に示す２Ｒ機能を有する波長変換装置を用いることになる。
【００１３】
又ギガビット・イーサネット（登録商標）（１０００ＢＡＳＥ−Ｔ，１０ＧＢＡＳＥ−Ｘ）に於けるルータは、伝送速度等についてオートネゴシェーションを行うものであり、このオートネゴシェーション中は、断続的に送信を中止するものである。従って、光通信装置１１４，２１４をルータとし、波長変換装置を介してオートネゴシェーションを行う場合に、信号が中断されている期間内では、位相同期ループ回路（ＰＬＬ）は正確にクロック再生ができないことになる。又ルータはオートネゴシェーションが完了した後は、連続的に光信号を送受信することになる。
【００１４】
図１３は、前述のルータ間のオートネゴシェーションの説明図であり、このオートネゴシェーションは、例えば、ルータ間で通信する為の伝送速度が相互に許容できる最高速度となるように順次低速側から打合せを行うことにより、最適な通信モードに設定する為の機能を含むものであり、ＩＥＥＥ８０２．３によって規定されている通信内容は、半二重・全二重設定、通信フロー制御、リモートフォルトビット、アクノリッジである。このようなオートネゴシェーションを行うルータ間に対しては、前述のように、正確なクロック再生ができないことにより、２Ｒ機能の波長変換装置を用いる必要がある。しかし、オートネゴシェーション後は、連続的な光信号を送信するものであるから、その場合は３Ｒ機能の波長変換装置を用いることも可能となる。
【００１５】
又光信号を、例えば、ＮＲＺ（Ｎｏｎ　Ｒｅｔｕｒｎ　ｔｏ　Ｚｅｒｏ）符号により伝送する場合、信号波形の変化点が少ないことにより、クロック再生が容易でなくなるから、２Ｒ機能の波長変換装置を用いることになる。これに対して、ＲＺ（Ｒｅｔｕｒｎ　ｔｏ　Ｚｅｒｏ）符号により伝送する場合は、信号波形の変化点が多いから、クロック生成が容易となり、３Ｒ機能の波長変換装置を用いることができる。
【００１６】
光波長分割多重方式に於ける３Ｒ機能の波長変換装置として、光信号の状態で波形整形する構成も知られている。この場合、光電変換手段を適用することができることも知られている（例えば、特許文献１参照）。
【００１７】
【特許文献１】
特開２００１−２４９３７１号公報
【００１８】
【発明が解決しようとする課題】
波形整形（Ｒｅｓｈａｐｉｎｇ）と、リタイミング（Ｒｅｔｉｍｉｎｇ）と、識別再生（Ｒｅｇｅｎｒａｔｉｎｇ）との３Ｒ機能の波長変換装置を用いた場合は、前述のように、伝送品質を改善することができるが、ルータ間通信のように、オートネゴシェーションを行う場合には、３Ｒ機能の波長変換装置を適用できないことになる。従って、ルータ間通信に適用する場合は、リタイミング（Ｒｅｔｉｍｉｎｇ）機能を含まない２Ｒ機能の波長変換装置を用いることになる。即ち、光通信装置の種類等に対応して、３Ｒ機能の波長変換装置と２Ｒ機能の波長変換装置とを設けることになり、コストアップとなる問題がある。
【００１９】
本発明は、２Ｒ機能と３Ｒ機能とを含む構成とし、自動的に最適機能で光波長分割多重信号を処理することを目的とする。
【００２０】
【課題を解決するための手段】
本発明の波長変換装置は、図１を参照して説明すると、複数の光通信装置１１からの光信号の波長をそれぞれ異なる波長λ１　〜λｎ　に変換して多重化した光波長分割多重信号を送出する手段と、光波長分割多重信号を多重分離して、複数の光通信装置対応の波長の光信号に変換して送出する手段とを含む波長変換装置に於いて、入力された光信号を電気信号に変換する電光変換部１，２１と、この電光変換部１，２１により変換された電気信号によるデータの波形を整形する波形整形部２，２２と、波形整形したデータに同期したクロックを再生するクロック再生部３，２３と、波形整形したデータをクロック再生部３，２３からのクロックによりリタイミングするリタイミング部４，２４と、このリタイミング部４，２４からのデータと、波形整形部２，２２からのデータとを入力するセレクタ５，２５と、このセレクタ５，２５から選択出力されたデータを光信号に変換する電光変換部６，２６と、２Ｒ機能動作時に、波形整形部２，２２からのデータを選択出力し、３Ｒ機能動作時に、リタイミング部４，２４からのデータを選択出力するように、セレクタ５，２５を制御する制御部７，２７とを備えている。
【００２１】
又図２を参照して説明すると、入力光信号の断を検出して入力断検出信号を出力する入力断検出部１２，３２と、クロック再生部３，２３に於けるクロック再生が不可能の時にクロック再生不可検出信号を出力するクロック再生検出部１３，３３と、リタイミング部４，１４の出力データを入力してフレーム同期引込み及びエラー検出を行い、フレーム同期引込みが不可能の時にフレーム同期不可検出信号を出力するデータ処理部１４，３４と、データ処理部１４，３４のエラー検出パルスを入力してエラーレートを求め、このエラーレートが設定閾値を超えた時にエラー検出信号を出力するエラーレート検出部１５，３５と、入力断検出信号が入力されない状態で、クロック再生不可検出信号とフレーム同期不可検出信号とエラー検出信号との何れか一つ又は複数が入力された時に、セレクタ５，２５を制御して、波形整形部２，２２からのデータを選択出力させて２Ｒ機能動作を行わせ、入力断検出信号とクロック再生不可検出信号とフレーム同期不可検出信号とエラー検出信号とが総て入力されない時に、セレクタ５，２５を制御して、リタイミング部４，２４からデータ処理部１４，３４を介したデータを選択出力させて３Ｒ機能動作を行わせる制御部７，２７とを備えている。
【００２２】
又制御部７，２７は、ルータ間のオートネゴシェーションに伴う入力光信号の断続による入力断検出信号に対する検出保護時間と、クロック再生不可検出信号とフレーム同期不可検出信号とエラー検出信号とに対する解除保護時間とを設定して、２Ｒ機能と３Ｒ機能とをセレクタ５，２５を制御して切替える構成を有する。
【００２３】
又無効データ又は警報表示信号を出力する警報情報生成部１６，３６を設け、制御部７，２７は、少なくとも入力断検出信号が入力された時に、警報情報生成部１６，３６からの無効データ又は警報表示信号を、電光変換部６，２６に入力するように、セレクタ５，２５を制御する構成とすることができる。又制御部７，２７は、３Ｒ機能に設定した時は、入力断検出信号とクロック再生不可検出信号とフレーム同期不可検出信号との何れか一つでも入力された時に、警報情報生成部１６，３６からの警報表示信号を選択出力して電光変換部６，２６に入力し、それ以外はデータ処理部１４，３４からのデータを選択出力して電光変換部６，２６に入力するようにセレクタ５，２５を制御し、２Ｒ機能に設定した時は、入力断検出信号が入力された時に、警報情報生成部１６，３６からの警報表示信号を選択出力して電光変換部６，２６に入力し、それ以外は波形整形部２，２２からのデータを選択出力して電光変換部６，２６に入力するように、セレクタ５，２５を制御する構成とすることができる。
【００２４】
【発明の実施の形態】
図１は本発明の原理説明図であり、１０−１〜１０−ｎは送信部、２０−１〜２０−ｎは受信部、１，２１は光電変換部（Ｏ／Ｅ）、２，２２は波形整形部、３，２３はクロック再生部、４，２４はリタイミング部、５，２５はセレクタ（ＳＥＬ）、６，２７は電光変換部（Ｅ／Ｏ）、７，２７は制御部、８は波長λ１　〜λｎ　の光信号を多重化する波長多重部（ＭＵＸ）、２８は波長λ１　〜λｎ　の光信号を分離する波長分離部（ＤＭＵＸ）、９，２９は外部インタフェース部（ＩＦ）、１１，２１は光通信装置を示す。
【００２５】
送信部１０−１〜１０−ｎは同一構成を有し、それぞれ光通信装置１１からの光信号を受信し、光電変換部１により電気信号に変換し、波形整形部２に於いて波形等化やレベル識別等によりデータ波形に整形し、クロック再生部３によりデータ波形の変化点等を基にクロックＣＬＫを再生し、データＤＡＴＡと共にリタイミング部４に入力し、リタイミング部４により、データＤＡＴＡをクロックＣＬＫに従ったタイミングとなるようにリタイミング処理し、制御部７により選択制御されるセレクタ５を介して電光変換部６に入力し、例えば、波長λ１　の光信号に変換して波長多重部８に入力し、他の送信部１０−２〜１０−ｎから波長λ２　〜λｎ　の光信号に変換して波長多重部８　に入力し、波長λ１　〜λｎ　の光波長多重信号として光伝送路に送出する。
【００２６】
この場合に、例えば、制御部７によりセレクタ５を制御して、波形整形部２の出力信号を選択して電光変換部６に入力すると、リタイミングを行わない２Ｒ機能の波長変換装置の構成となる。又セレクタ５を制御して、リタイミング部４の出力信号を選択して電光変換部６に入力すると、３Ｒ機能の波長変換装置の構成となる。この制御部７に、外部インタフェース部９を介して２Ｒ機能とするか３Ｒ機能とするかの選択制御情報を入力するか、又は光通信装置１１からの光信号の特性を判断して、セレクタ５を制御して、波形整形（Ｒｅｓｈａｐｉｎｇ）とリタイミング（Ｒｅｔｉｍｉｎｇ）と識別再生（Ｒｅｇｅｎｒａｔｉｎｇ）との３Ｒ機能と、波形整形（Ｒｅｓｈａｐｉｎｇ）と識別再生（Ｒｅｇｅｎｒａｔｉｎｇ）との２Ｒ機能との選択切替制御を行う構成とすることができる。
【００２７】
又受信部２０−１〜２０−ｎは同一構成を有し、波長λ１　〜λｎ　の光波長多重信号を波長分離部２８により分離し、波長λ１　〜λｎ　対応の受信部２０−１〜２０−ｎに入力し、光電変換部２１により電気信号に変換し、波形整形部２２により信号波形を等化整形し、クロック再生部２３によりデータＤＡＴＡとクロックＣＬＫとを分離抽出し、リタイミング部２４により、データＤＡＴＡをクロックＣＬＫに従ったタイミングとし、制御部２７により選択制御されるセレクタ２５を介して電光変換部２６に入力し、光信号に変換して光通信装置３１に光伝送路を介して送信する。
【００２８】
この場合も、送信部と同様に、セレクタ２５を制御部２７により制御して、波形整形部２２の出力信号を選択して電光変換部２６に入力する場合は、２Ｒ機能の波長変換装置の構成となり、又リタイミング部２４の出力信号を選択して電光変換部２６に入力する場合は、３Ｒ機能の波長変換装置の構成となる。この場合の制御部２７は、送信部の制御部７による制御内容と同様に、外部インタフェース部２９を介して設定された選択制御情報に従ってセレクタ２５を制御する構成とすることができる。又は受信光信号の特性を判断して、セレクタ２５を制御する構成とすることができる。
【００２９】
図２は本発明の第１の実施の形態の説明図であり、図１と同一符号は同一部分を示し、１２，３２は入力断検出部、１３，３３はクロック再生検出部、１４，３４はデータ処理部、１５，３５はエラーレート検出部、１６，３６は警報情報生成部、４０は光増幅器を示す。
【００３０】
入力断検出部１２，３２は、波形整形部２，２２に於ける受信信号の波形等化出力信号が得られない状態の時に入力断と判定し、その入力断検出信号を制御部７，１７に入力する。又クロック再生検出部１３，３３は、クロック再生部３，２３に於いてクロック抽出が不可能の場合の検出信号を、クロック再生不可検出信号として制御部７，１７に入力する。又データ処理部１４，３４は、リタイミング部４，２４からのデータＤＡＴＡとクロックＣＬＫとを基に、フレーム同期の監視、受信信号符号則の判定、エラー監視等の機能を備え、フレーム同期引込みができない時の検出信号を、フレーム同期不可検出信号として制御部７，１７に入力する。又データ処理部１４，３４からのエラーパルスをエラーレート検出部１５，３５に入力し、エラーレート検出部１５，３５は、制御部７，２７から設定された閾値と比較して、この閾値を超えたエラーレートの場合に、エラー検出信号として制御部７，２７に入力する。
【００３１】
制御部７，２７は、入力された入力断検出信号、クロック再生不可検出信号、フレーム同期不可検出信号、エラー検出信号に従って、セレクタ５，２５を制御し、少なくとも入力断検出信号が入力された場合には、警報情報生成部１６，３６からの無効データ又は警報表示信号（ＡＩＳ）を選択出力させて電光変換部６，２６に入力して光信号に変換し、光伝送路に送出する。この場合、波長多重部８により光波長分割多重化された光信号を光増幅器４０により所定のレベルに増幅して光伝送路に送出する場合を示す。なお、受信部側にも光増幅器を設けることができる。
【００３２】
セレクタ５，２５は、波形整形部２，２２からのデータと、データ処理部１４，３４からのデータと、警報情報生成部１６，３６からの無効データ又は警報表示信号との何れかを、制御部７，２７の制御によって選択出力して、電光変換部６，２６に入力するもので、制御部７，２７に外部インタフェース部９，２９を介して又は直接的に、２Ｒ機能として動作するか、３Ｒ機能として動作するか、又は自動的に２Ｒ機能と３Ｒ機能との切替制御動作するかを設定することができる。自動切替制御動作に設定した場合は、入力断検出信号が入力されない状態では、波形整形部２，２２からのデータをセレクタ５，２５から選択出力して電光変換部６，２６に入力させる２Ｒ機能とし、更にクロック再生不可検出信号とフレーム同期不可検出信号とエラー検出信号とが入力されない状態では、データ処理部１４，３４からのデータをセレクタ５，２５から選択出力して電光変換部６，２６に入力させる３Ｒ機能とし、少なくとも入力断検出信号が入力された状態では、警報情報生成部１６，３６からの無効データ又は警報表示信号を選択出力して電光変換部６，２６に入力させる警報発生状態とすることができる。
【００３３】
従って、光通信装置１１，３１を例えばルータとして、オートネゴシェーションにより、ルータ間の最適通信モード設定を行う場合、前述のように、送信部及び受信部に対しての入力信号が断続するものであり、３Ｒ機能として動作することができない。そこで、前述のように、入力信号を検出して２Ｒ機能に切替え、オートネゴシェーションを可能とし、このオートネゴシェーション終了による連続通信時に、自動的に３Ｒ機能に切替えて通信品質の良いルータ間の通信を可能とすることができる。
【００３４】
図３は制御動作説明図であり、（Ａ）は２Ｒ機能と３Ｒ機能との自動切替制御を行う場合の制御動作、（Ｂ）は２Ｒ機能の制御動作、（Ｃ）はエラーレート検出部１６，３６に対する閾値の設定値を示す。又ＯＰＴ入力断ＡＬＭは、入力断検出部１２，３２による入力断検出信号、ＣＬＫ再生不可ＡＬＭは、クロック再生検出部１３，３３によるクロック再生不可検出信号、フレーム同期ＬＯＳＳ　ＡＬＭは、データ処理部１４，３４に於けるフレーム同期処理によるフレーム同期不可検出信号、ＥＲＲＡＬＭは、エラーレート検出部１５，３５からのエラー検出信号を示す。このＥＲＲＡＬＭ検出の為の閾値の一例を（Ｃ）に示すもので、１０−２〜１０−６の閾値の中の１０−３をデフォルト値とした場合を示し、例えば、外部インタフェース部９，２９から設定することができる。
【００３５】
エラーレート検出部１５，３５に、図３の（Ｃ）に示す何れか一つの閾値を、外部インタフェース部９，２９を介して、又は制御部７，２７の制御によって設定し、データ処理部１４，３４からのエラーパルスを計数し、所定時間毎の計数値が閾値を超えた場合に、エラー検出信号を制御部７，２７に入力する。又Ａは検出信号による警報状態、Ｎは正常状態を示す。又選択信号のＦＦ００は、警報情報生成部１５，３５からの無効データ“ＦＦ００”を送出する状態を示す。
【００３６】
図３の（Ａ）に示すように、ＯＰＴ入力断ＡＬＭ＝Ａ、即ち、入力断検出部１２，３２により入力断を検出した場合（自動切替制御動作を行う場合は、保護時間を設定し、その保護時間を超えて、入力断検出信号が継続した場合、及び入力有りの場合も保護時間を超えて継続した場合の検出信号を用いる）、無効データ“ＦＦ００”をセレクタ５，２５から選択送出する。又ＯＰＴ入力断ＡＬＭ＝Ｎ、即ち、入力有りの場合は、ＣＬＫ再生不可ＡＬＭ＝Ａ、又はフレーム同期ＬＯＳＳ　ＡＬＭ＝Ａ、又はＥＲＲ　ＡＬＭ＝Ａの状態であっても、２Ｒ機能を選択する。即ち、セレクタ５，２５により波形整形部２，２２からデータを選択出力して電光変換部６，２６に入力する。
【００３７】
そして、ＯＰＴ入力断ＡＬＭ＝Ｎ、ＣＬＫ再生不可ＡＬＭ＝Ｎ、フレーム同期ＬＯＳＳ　ＡＬＭ＝Ｎ、ＥＲＲ　ＡＬＭ＝Ｎの状態、即ち、総て正常通信状態となると、制御部７，２７は、セレクタ５，２５を制御して、データ処理部１４，３４からのデータを選択出力して電光変換部６，２６に入力する。即ち、２Ｒ機能から３Ｒ機能に切替えることができる。従って、ルータ間のオートネゴシェーション中は２Ｒ機能で動作し、オートネゴシェーション終了後は、３Ｒ機能に切替えて、通信品質の良い通信を行わせることができる。
【００３８】
又図３の（Ｂ）に示すように、２Ｒ機能の動作に設定した場合は、ＯＰＴ入力断ＡＬＭ＝Ａ、即ち、入力断検出部１２，３２により入力断を検出した場合のみ、無効データ“ＦＦ００”を選択送出し、ＯＰＴ入力断ＡＬＭ＝Ｎの状態となると、このＯＰＴ入力断ＡＬＭ以外のＣＬＫ再生不可ＡＬＭと、フレーム同期ＬＯＳ　ＡＬＭと、ＥＲＲ　ＡＬＭとが何れもＮ（正常状態）でなくても、制御部７，２７は、セレクタ５，２５を制御して、波形整形部２，２２からのデータを選択出力して電光変換部６，２６に入力し、光信号に変換して送出する。即ち、２Ｒ機能を選択して動作する。
【００３９】
図４は３Ｒ機能動作の説明図であり、自動切替制御動作を行う場合を示すもので、（ａ）は入力信号（ＤＡＴＡ）、（ｂ）は即時入力断検出信号、（ｃ）は検出保護期間後の入力断検出信号、（ｄ）は即時クロック再生不可検出信号、（ｅ）は検出保護期間後のクロック再生不可検出信号、（ｆ）は即時フレーム同期不可検出信号、（ｇ）は検出保護期間後のフレーム同期不可検出信号、（ｈ）はエラー検出信号、（ｉ）は保護期間後のエラー検出信号、（ｊ）は動作状態の２Ｒ，３Ｒ，及び警報情報生成部１６，３７からの送出する“ＦＦ００”の無効データを示す。
【００４０】
又Ｔａはオートネゴシェーション期間、Ｔｂは正常通信期間、Ｔｃは入力断期間、Ｔｄは正常通信期間、Ｔｍａｘ１はオートネゴシェーション期間中の入力データ無しの最大期間、Ｔｍａｘ２はオートネゴシェーション期間中の入力データ有りの最大期間、ｔ１は入力断警報解除時間、ｔ２はクロック再生不可警報解除時間、ｔ３はフレーム同期不可検出警報解除時間、ｔ４はエラー検出警報解除時間、ｔ５は入力断検出時間、ｔ６はクロック再生不可検出時間、ｔ７はフレーム同期不可検出時間、ｔ８はエラー検出時間、ｔ１１は検出保護時間、ｔ１２〜ｔ１４は解除保護時間を示す。この場合、ｔ１１＞Ｔｍａｘ１、ｔ１２〜ｔ１４＞Ｔｍａｘ２の関係に設定する。
【００４１】最初は、即時入力断検出信号（ｂ）と、入力断検出信号（ｃ）と、即時クロック再生不可検出信号（ｄ）と、クロック再生不可検出信号（ｅ）と、即時フレーム同期不可検出信号（ｆ）と、フレーム同期不可検出信号（ｇ）と、エラー検出信号（ｈ），（ｉ）とは、何れも警報状態を示す“１”（ハイレベル）であり、従って、制御部７，２７は、警報情報生成部１６，３６からの無効データ“ＦＦ００”をセレクタ５，２５から選択出力させる状態となる。又図３の（Ａ）のＯＰＴ入力断ＡＬＭ、ＣＬＫ再生不可ＡＬＭ、フレーム同期ＬＯＳＳ　ＡＬＭ、ＥＲＲ　ＡＬＭは、それぞれ保護時間ｔ１１〜ｔ１４によって保護された入力断検出信号（ｃ）と、クロック再生不可検出信号（ｅ）と、フレーム同期不可検出信号（ｇ）と、エラー検出信号（ｉ）とに対応し、又図３の（Ａ）のＡは“１”に対応して、Ｎは“０”に対応する。
【００４２】
オートネゴシェーション期間Ｔａに入り、入力信号（ＤＡＴＡ）により、入力断検出警報解除時間ｔ１後に、即時入力断検出信号（ｂ）及び入力断検出信号（ｃ）は“０”（ローレベル）となる。又クロック再生部３，２３によりクロック再生が可能となると、クロック再生不可警報解除時間ｔ２後に、クロック再生に従って、即時クロック再生不可検出信号（ｄ）は“０”（ローレベル）となる。又即時フレーム同期不可検出信号（ｆ）は、フレーム同期検出に従って、フレーム同期不可検出警報解除時間ｔ３後に“０”となる。又エラー検出信号（ｈ）は、閾値以下のエラーレートによって、エラー検出警報解除時間ｔ４後に“０”となる。
【００４３】
又保護時間ｔ１１は、オートネゴシェーション期間Ｔａに於ける入力無し最大期間Ｔｍａｘ１より長い時間とする。それにより、オートネゴショーション期間Ｔａに於いては、入力断検出信号（ｃ）は“０”を継続する。又保護時間ｔ１２〜ｔ１４は、入力有りの最大期間Ｔｍａｘ２より長い時間とする。それにより、オートネゴシェーション期間Ｔａに於いては、クロック再生不可検出信号（ｅ）と、フレーム同期不可検出信号（ｇ）と、エラー検出信号（ｉ）とは“１”を継続する。
【００４４】
この状態に於いては、図３の（Ａ）に於けるＯＰＴ入力断ＡＬＭ＝Ｎ、ＣＬＫ再生不可ＡＬＭ＝Ａ、フレーム同期ＬＯＳＳ　ＡＬＭ＝Ａ、ＥＲＲ　ＡＬＭ＝Ａとなるから、２Ｒ機能で動作する状態とする。即ち、制御部７，２７は、セレクタ５，２５を制御して、波形整形部２，２２からのデータを選択出力して電光変換部６，２６に入力する。
【００４５】
オートネゴシェーション期間Ｔａが終了して、正常通信期間Ｔｂとなると、保護時間ｔ１２〜ｔ１４後に、クロック再生不可検出信号（ｅ）と、フレーム同期不可検出信号（ｇ）と、エラー検出信号（ｉ）とが“０”となる。この状態に於いては、図３の（Ａ）に於けるＯＰＴ入力断ＡＬＭ＝Ｎ、ＣＬＫ再生不可ＡＬＭ＝Ｎ、フレーム同期ＬＯＳＳ　ＡＬＭ＝Ｎ、ＥＲＲ　ＡＬＭ＝Ｎとなるから、３Ｒ機能で動作する状態に切替える。即ち、制御部７，２７は、セレクタ５，２５を制御して、データ処理部１４，３４からのデータを選択出力して電光変換部６，２６に入力する。従って、２Ｒ機能から３Ｒ機能に自動的に切替えることができる。
【００４６】
又正常通信期間Ｔｂから入力断による入力断期間Ｔｃとなると、クロック再生不可検出信号（ｅ）と、フレーム同期不可検出信号（ｇ）と、エラー検出信号（ｉ）とは、それぞれ検出時間ｔ２〜ｔ４後に“１”となる。この時、入力断検出信号（ｃ）は、保護時間ｔ１１を経過するまで“０”の状態であるから、図３の（Ａ）のＯＰＴ入力断ＡＬＭ＝Ａ以外の状態となり、２Ｒ機能の動作状態に切替える。そして、保護時間ｔ１１経過後に、入力断検出信号（ｃ）は“１”となるから、図３の（Ａ）のＯＰＴ入力断ＡＬＭ＝Ａの状態となり、無効データ“ＦＦ００”を送出する状態に切替える。再び入力信号有りとなると、前述の動作に従って２Ｒ機能の動作状態に切替える。
【００４７】
従って、３Ｒ機能の動作に切替制御できるように設定すると、例えば、ルータ間のオートネゴシェーション期間Ｔａに於いては、それぞれの検出信号に従って、制御部７，２７によりセレクタ５，２５を制御して、無効データ“ＦＦ００”送出状態から２Ｒ機能の動作状態に切替え、オートネゴシェーション終了により、クロック再生及びフレーム同期引込みが行われると、制御部７，２７によりセレクタ５，２５を制御して、２Ｒ機能の動作状態から３Ｒ機能の動作状態に切替えることができる。
【００４８】
又２Ｒ機能として動作するように設定した場合は、図５に示すような動作が行われる。同図に於いて、（ａ）は入力信号（ＤＡＴＡ）、（ｂ）は即時入力断検出信号、（ｃ）は即時クロック再生不可検出信号、（ｄ）は即時フレーム同期不可検出信号、（ｅ）はエラー検出信号、（ｆ）は動作状態を示し、ｔ１〜ｔ８は、図４に於けるｔ１〜ｔ８と同様の解除時間及び検出時間を示す。又Ｔｂ，Ｔｄは正常通信期間、Ｔｃは入力信号断期間を示す。この場合は、保護時間ｔ１１〜ｔ１４の設定は行わない。
【００４９】
正常通信期間Ｔｂの前は、無効データ“ＦＦ００”送出状態で、入力信号（ＤＡＴＡ）を検出することにより、即時入力断検出信号（ｂ）は、解除時間ｔ１後に“０”となる。又入力信号（ＤＡＴＡ）からクロックを再生し、又フレーム同期引込みを行うことにより、即時クロック再生不可検出信号（ｃ）は、解除時間ｔ２後に“０”となる。又即時フレーム同期不可検出信号（ｄ）は、解除時間ｔ３後に“０”となる。又エラー検出信号（ｅ）は、解除時間ｔ４後に“０”となる。この場合、図３の（Ｂ）に示すように、ＯＰＴ入力断ＡＬＭ（入力断検出信号）＝Ａ（“１”）以外は、２Ｒ機能の動作状態とするものであるから、図４の（ｊ）の２Ｒ動作状態に切替える。即ち、制御部７，２７は、セレクタ５，２５を制御し、警報情報生成部１６，３６からの無効データの選択出力状態から、波形整形部２，２２からのデータの選択出力状態に切替える。
【００５０】
又入力信号（ａ）が断となり、正常通信期間Ｔａから入力信号断期間Ｔｃに入ると、解除時間ｔ５後に、即時入力断検出信号（ｂ）が“１”、又解除時間ｔ６後に、即時クロック再生不可検出信号（ｃ）が“１”、又解除時間ｔ７後に、即時フレーム同期不可検出信号（ｄ）が“１”、又解除時間ｔ８後に、エラー検出信号（ｅ）が“１”となる。この場合、即時入力断検出信号（ｂ）が“１”となることにより、図３の（Ｂ）に示すように、ＯＰＴ入力断ＡＬＭ（入力断検出信号）がＡ（“１”）の状態となるから、制御部７，２７は、セレクタ５，２５を制御して、波形整形部２，２２からのデータの選択出力状態から、警報情報生成部１６，３６からの無効データ“ＦＦ００”の選択出力状態に切替える。この状態は、図３の（Ｂ）のＯＰＴ入力断ＡＬＭ＝Ａの状態に相当する。そして、正常通信期間Ｔｄとなると、前の正常通信期間Ｔａに於ける動作が繰り返されて、２Ｒ機能の動作状態に切替える。
【００５１】
前述のように、外部インタフェース部９，２９から制御部７，２７に対して、或いは、予め、制御部７，２７に、自動切替制御可能の３Ｒ機能の動作状態とするか、又は２Ｒ機能の動作状態とするかを設定することができるもので、自動切替制御可能の３Ｒ機能の動作状態に設定すると、入力信号の状態に対応して、制御部７，２７によってセレクタ５，２５を制御し、自動的に、無効データ“ＦＦ００”送出状態と、波形整形部２，２２からのデータを送出する２Ｒ機能の動作状態と、データ処理部１４，３４からのデータを送出する３Ｒ機能の動作状態とに切替えることができる。
【００５２】
又図２に於ける光通信装置１１，３１を、ＳＤＨ（Ｓｙｎｃｈｒｏｎｏｕｓ　Ｄｉｇｉｔａｌ　Ｈｉｅｒａｒｃｈｙ）装置又はＳＯＮＥＴ（Ｓｙｎｃｈｒｏｎｏｕｓ　Ｏｐｔｉｃａｌ　Ｎｅｔｗｏｒｋ）装置とした場合、前述のオートネゴシェーション期間を必要としないものである。そして、入力断検出等の場合の警報情報として、警報表示信号ＡＩＳ（Ａｌａｒｍ　Ｉｎｄｉｃａｔｉｏｎ　Ｓｉｇｎａｌ）を送出するものである。図６は、光通信装置１１，３１として、ＳＤＨ／ＳＯＮＥＴ装置を接続した場合の制御動作説明図であり、（Ａ）は３Ｒ機能として動作する場合、（Ｂ）は２Ｒ機能として動作する場合、（Ｃ）は図３の（Ｃ）と同様のエラーレートに対する閾値をそれぞれ示す。
【００５３】
図６の（Ａ）に於いて、ＯＰＴ入力断ＡＬＭ＝Ａ、ＣＬＫ再生不可ＡＬＭ＝Ａ、フレーム同期ＬＯＳＳ　ＡＬＭ＝Ａのそれぞれ何れか一つでも検出信号が制御部７，２７に入力された状態に於いては、警報情報生成部１６，３６からＡＩＳ（警報表示信号）をセレクタ５，２５を介して送出する。このＡＩＳの受信側は、送信側の異常発生として処理する。従って、受信部２０−１〜２０−ｎにＡＩＳの検出部を設けて、ＡＩＳ受信検出により、警報情報生成部１６，３６に於いて生成したＡＩＳを送出する構成とすることも可能である。又ＯＰＴ入力断ＡＬＭ＝Ｎ、ＣＬＫ再生不可ＡＬＭ＝Ｎ、フレーム同期ＬＯＳＳ　ＡＬＭ＝Ｎの状態に於いては、制御部７，２７は、セレクタ５，２５を制御して、データ処理部１４，３４からのデータを選択出力する３Ｒ機能の動作状態とする。
【００５４】
又２Ｒ機能として動作させる場合は、図６の（Ｂ）に示すように、ＯＰＴ入力断ＡＬＭ＝Ａの状態に於いてのみ、警報情報生成部１６，３６からのＡＩＳをセレクタ５，２５を介して送出し、その他の状態では、２Ｒ機能の動作を行うように、セレクタ５，２５を制御し、波形整形部２，２２からのデータを選択出力する状態とする。
【００５５】
又波長変換装置を介して通信する光通信装置が同一波長の例えばλ１　とすると、受信部２０−１に於いては、波長分離部２８により分離した波長λ１　の光信号を、波長変換することなく、そのまま光通信装置３１に対して送出する構成とすることも可能である。
【００５６】
図７は前述の３Ｒ機能として動作する場合を示すもので、（ａ）は入力信号（ＤＡＴＡ）、（ｂ）は入力断検出信号、（ｃ）はクロック再生不可検出信号、（ｄ）はフレーム同期不可検出信号、（ｅ）はエラー検出信号、（ｆ）は動作状態を示す。又Ｔｂ，Ｔｄは正常通信期間、Ｔｃは入力断期間、ｔ１〜ｔ４は解除時間、ｔ５〜ｔ８は検出時間を示す。なお、オートネゴシェーション期間を含まないことにより、入力信号の断続に従った保護時間を設定することなく、図４に於ける即時入力断検出信号（ｂ）と、即時クロック再生不可検出信号（ｄ）と、即時フレーム同期不可検出信号（ｆ）と、即時エラー検出信号（ｈ）とを用いることができる。
【００５７】
そして、波長変換装置は、３Ｒ機能として動作する場合は、制御部７，２７は、入力断検出信号（ｂ）と、クロック再生不可検出信号（ｃ）と、フレーム同期不可検出信号（ｄ）とが、それぞれ“０”となる正常通信期間Ｔｂ，Ｔｄに於いては、３Ｒ機能として動作する状態にセレクタ７，２７を切替制御し、又入力信号が断となる入力断期間Ｔｃに於いては、検出時間ｔ５後に、入力断検出信号（ｂ）が“１”となると、制御部７，２７は、ＡＩＳ送出状態となるようにセレクタ７，２７を切替制御する。
【００５８】
図８は２Ｒ機能として動作する場合を示し、図７と同一符号は同一名称部分を示す。入力信号（ａ）により、アラームとしての解除時間ｔ１後に、入力断検出信号（ｂ）は“０”となる。それにより、ＡＩＳ送出状態から２Ｒ機能動作状態になるように、制御部７，２７によってセレクタ５，２５を切替制御する。
【００５９】
２Ｒ機能動作状態に於いては、図６の（Ｂ）に示すように、クロック再生不可検出信号（ｃ）（ＣＬＫ再生不可ＡＬＭ）と、フレーム同期不可検出信号（ｄ）（フレーム同期ＬＯＳＳ　ＡＬＭ）と、エラー検出信号（ｅ）（ＥＲＲ　ＡＬＭ）とに関係なく、入力断検出信号（ｂ）（ＯＰＴ入力断ＡＬＭ）が“１”の場合に、ＡＩＳ送出状態となり、入力断検出信号（ｂ）（ＯＰＴ入力断ＡＬＭ）が“０”となると、２Ｒ機能動作状態となる。
【００６０】
図９は本発明の第２の実施の形態の説明図であり、図２と同一符号は同一部分を示し、１８，３８は入力断検出部を示す。この入力断検出部１８，３８は、図２に於ける入力断検出部１２，３２と同様に、入力断検出を行うもので、例えば、光電変換部１，２１の変換出力レベルが所定値以下に低下した時に、入力断と判定して、入力断検出信号を制御部７，２７に入力する。或いは、入力光信号レベルを判定して、所定値以下に低下した時に、入力断と判定して、入力断検出信号を制御部７，２７に入力する構成とすることもできる。
【００６１】
従って、制御部７，２７は、光通信装置１１，３１をルータとして、前述のように、オートネゴシェーションを行う場合に、入力信号が断続するオートネゴシェーション期間では２Ｒ機能となるようにセレクタ５，２５を制御し、オートネゴシェーション終了後の正常通信期間に於いては、３Ｒ機能となるようにセレクタ５，２５を制御し、自動的に２Ｒ機能と３Ｒ機能との切替えを行うことができる。又光通信装置１１，３１をＳＤＨ装置又はＳＯＮＥＴ装置とし、２Ｒ機能として動作させるか、又は３Ｒ機能として動作させるかを制御部７，２７に設定することができる。
【００６２】
本発明は、前述の実施の形態のみに限定されるものではなく、種々付加変更することが可能であり、制御部７，２７の機能は、プロセッサ等の処理機能によって実現することも可能であり、光増幅器４０は、波長多重数に対応して利得制御を行う構成とすることも可能である。
【００６３】
【発明の効果】
以上説明したように、本発明は、通信状態に対応して制御部７，２７によりセレクタ５，２５を制御して、２Ｒ機能と３Ｒ機能と更には無効データ又は警報表示信号送出との切替制御を行うもので、２Ｒ機能の波長変換装置と、３Ｒ機能の波長変換装置との２種類の波長変換装置を用いることなく、１種類の波長変換装置を、２Ｒ機能と３Ｒ機能とに切替えて、光波長分割多重方式による光信号の伝送を行うことができ、システムの経済化を図ることができる。又ルータ間のオートネゴシェーションに対しては、保護時間の設定により２Ｒ機能の継続と、３Ｒ機能への自動切替えとを可能とし、伝送品質を劣化させることなく、光波長分割多重通信を可能とすることができる。
【図面の簡単な説明】
【図１】本発明の原理説明図である。
【図２】本発明の第１の実施の形態の説明図である。
【図３】制御動作説明図である。
【図４】３Ｒ機能動作の説明図である。
【図５】２Ｒ機能に設定した時の動作説明図である。
【図６】制御動作説明図である。
【図７】３Ｒ機能動作の説明図である。
【図８】２Ｒ機能動作の説明図である。
【図９】本発明の第２の実施の形態の説明図である。
【図１０】従来の３Ｒ機能を有する波長変換装置の説明図である。
【図１１】警報情報の説明図である。
【図１２】従来の２Ｒ機能を有する波長変換装置の説明図である。
【図１３】オートネゴシェーションの説明図である。
【符号の説明】
１，２１　光電変換部（Ｏ／Ｅ）
２，２２　波形整形部
３，２３　クロック再生部
４，２４　リタイミング部
５，２５　セレクタ（ＳＥＬ）
６，２６　電光変換部（Ｅ／Ｏ）
７，２７　制御部
８　波長多重部（ＭＵＸ）
２８　波長分離部（ＤＭＵＸ）
９，２９　外部インタフェース部（ＩＦ）
１０−１〜１０−ｎ　送信部
２０−１〜２０−ｎ　受信部
１１，３１　光通信装置
【図１】
2004140626.tif 000003
【図２】
2004140626.tif 000004
【図３】
2004140626.tif 000005
【図４】
2004140626.tif 000006
【図５】
2004140626.tif 000007
【図６】
2004140626.tif 000008
【図７】
2004140626.tif 000009
【図８】
2004140626.tif 000010
【図９】
2004140626.tif 000011
【図１０】
2004140626.tif 000012
【図１１】
2004140626.tif 000013
【図１２】
2004140626.tif 000014
【図１３】
2004140626.tif 000015